(57)【要約】【課題】Ｕボルトへのナットの締付け作業効率が向上するセンサ固定器具を提供すること。【解決手段】センサ固定器具１０は、センサ１が取り付けられる保持部材２０と、保持部材２０の挿入孔２４に挿入される２つの脚部４１を有するＵボルト４０と、Ｕボルト４０の両脚部４１に取り付けられるナット５０とを備える。ナット５０は、円柱状に形成され、保持部材２０の挿入孔２４に挿入される胴部５２と、胴部５２の両端に連続形成され、平面視で保持部材２０の挿入孔２４よりも大きく形成された上部５１および下部５３とで構成され、上部５１、胴部５２および下部５３を貫通し、内周面に雌ねじ部５４ａを有する貫通孔５４が形成されている。【選択図】図１
2015140898.tif 000002
【特許請求の範囲】
【請求項１】
一対の挿入孔が設けられると共に、センサが取り付けられて該センサをその測定対象物に接触させる保持部材と、上記測定対象物の上記保持部材とは反対側から上記保持部材の一対の挿入孔に挿入される２つの脚部を有するＵボルトと、該Ｕボルトの両脚部に取り付けられる一対のナットとを備えるセンサ固定器具であって、
上記ナットの少なくとも１つは、円柱状に形成され、上記保持部材の挿入孔に挿入される胴部と、該胴部の両端に連続して形成され、平面視で上記保持部材の挿入孔よりも大きく形成された上部および下部とで構成され、上記上部、胴部および下部を上記胴部の軸心方向に貫通し、内周面に雌ねじ部を有する貫通孔が形成されていることを特徴とするセンサ固定器具。
【請求項２】
請求項１に記載のセンサ固定器具において、
上記少なくとも１つのナットの上部は、クイックナットで構成され、該クイックナットの下面に上記胴部が接合されていることを特徴とするセンサ固定器具。
【発明の詳細な説明】
【技術分野】
【０００１】
本発明は、センサを測定対象物に接触させて固定するセンサ固定器具に関するものである。
【背景技術】
【０００２】
センサを測定対象物に接触させて固定する固定器具として、例えば特許文献１に開示されているものがある。この固定器具は、センサが取り付けられる保持部材と、測定対象物（スチームトラップの入口部）を挟んで保持部材とは反対側に位置する挟持部材とがＵボルトおよびナットで測定対象物に固定されている。保持部材の側壁には、Ｕボルトの挿入孔と外部とを連通させる切欠部が設けられている。この固定器具では、保持部材、挟持部材および一対のナットが取り付けられた状態のＵボルトの脚部が切欠部を通して保持部材の挿入孔内に入れられる。したがって、Ｕボルトを挟持部材および保持部材の挿入孔に挿入した後、そのＵボルトを支えながらナットをＵボルトの脚部に取り付けることをしなくてもよい。これにより、Ｕボルトへのナットの締付け作業効率が向上する。
【先行技術文献】
【特許文献】
【０００３】
【特許文献１】特開２０１３−１７０６８６号公報
【発明の概要】
【発明が解決しようとする課題】
【０００４】
ところで、特許文献１に開示の固定器具では、保持部材に切欠部が設けられているため、想定外の荷重が作用すると、保持部材の強度が低下する場合があった。
【０００５】
本発明は、かかる事情に鑑みてなされたものであり、部材の強度低下を招くことなく、Ｕボルトへのナットの締付け作業効率を向上させることができるセンサ固定器具を提供することにある。
【課題を解決するための手段】
【０００６】
本発明に係るセンサ固定器具は、一対の挿入孔が設けられると共に、センサが取り付けられて該センサをその測定対象物に接触させる保持部材と、上記測定対象物の上記保持部材とは反対側から上記保持部材の一対の挿入孔に挿入される２つの脚部を有するＵボルトと、該Ｕボルトの両脚部に取り付けられる一対のナットとを備えるものを前提としている。そして、上記ナットの少なくとも１つは、円柱状に形成され、上記保持部材の挿入孔に挿入される胴部と、該胴部の両端に連続して形成され、平面視で上記保持部材の挿入孔よりも大きく形成された上部および下部とで構成され、上記上部、胴部および下部を上記胴部の軸心方向に貫通し、内周面に雌ねじ部を有する貫通孔が形成されている。
【発明の効果】
【０００７】
本発明によれば、上記ナットの少なくとも１つが、保持部材の挿入孔に挿入される胴部と、該胴部の両端に連続して形成され、平面視で上記保持部材の挿入孔よりも大きく形成された上部および下部とで構成されているため、ナットが保持部材に保持される。したがって、ナットが保持部材に保持された状態で、ナットをＵボルトに取り付けることができるため、Ｕボルトへのナットの締付け作業効率が向上する。
【図面の簡単な説明】
【０００８】
【図１】図１は、実施形態に係るセンサ固定器具の概略構成を示す断面図である。
【図２】図２は、保持部材の概略構成を示す斜視図である。
【図３】図３は、挟持部材の概略構成を示す斜視図である。
【図４】図４は、ナットの概略構成を示す断面図である。
【発明を実施するための形態】
【０００９】
以下、本発明の実施形態について図面を参照しながら説明する。なお、以下の実施形態は、本質的に好ましい例示であって、本発明、その適用物、あるいはその用途の範囲を制限することを意図するものではない。
【００１０】
図１に示す本実施形態のセンサ固定器具１０は、温度センサや振動センサ等のセンサ１を測定対象物に接触させて固定するものである。本実施形態において、測定対象物はスチームトラップの入口部５である。
【００１１】
センサ固定器具１０は、保持部材２０と、挟持部材３０と、Ｕボルト４０と、一対のナット５０とを備えている。
【００１２】
保持部材２０は、図２にも示すように、上壁２１と２つの側壁２２を有し、断面が略コ字状に形成されている。上壁２１の中央には、雌ねじ部を有する１つの連結孔２３が形成されている。この連結孔２３には、センサ１が取り付けられる。ここでは、センサ１は温度センサとして説明する。センサ１は、そのケーシング２の外周面に雄ねじ部２ａが形成されており、このケーシング２が保持部材２０の連結孔２３にねじ締結されることで取り付けられる（固定される）。また、ケーシング２の先端には熱電対３が設けられており、ケーシング２が保持部材２０に取り付けられることで熱電対３がスチームトラップの入口部５に接触する。また、上壁２１には、連結孔２３の両隣りに長孔状の一対の挿入孔２４が形成されている。
【００１３】
挟持部材３０は、図３にも示すように、上壁３１と２つの側壁３２を有し、断面が略コ字状に形成されている。挟持部材３０は、スチームトラップの入口部５の保持部材２０とは反対側に位置する。上壁３１の中央には、入口部５の面が接触する座面３３が形成されている。座面３３は、ローレット加工により粗くなっている。また、上壁３１には、座面３３の両隣りに長孔状の一対の挿入孔３４が形成されている。
【００１４】
Ｕボルト４０は、２つの脚部４１を有する。Ｕボルト４０は、スチームトラップの入口部５の保持部材２０とは反対側から２つの脚部４１が挟持部材３０の挿入孔３４に挿入された後、保持部材２０の挿入孔２４に挿入される。
【００１５】
一対のナット５０は、保持部材２０の一対の挿入孔２４に設けられている。ナット５０は、図４にも示すように、上部５１と、胴部５２と、下部５３とで構成されている。なお、図４は図１において右側または左側から視て示す断面図である。
【００１６】
胴部５２は、円柱状に形成され、その外周面が軸心へ向かって括れている。胴部５２は、保持部材２０の挿入孔２４に挿入されている。上部５１および下部５３は、胴部５２の両端に連続して形成されている。そして、上部５１および下部５３は、平面視（図４において上側から視る）で保持部材２０の挿入孔２４よりも大きく形成されている。ここで、挿入孔２４よりも大きいとは、挿入孔２４に入り込まない大きさを意味する。なお、上部５１は平面視形状が例えば六角形であり、下部５３は平面視形状が例えば円形である。
【００１７】
ナット５０は、上部５１、胴部５２および下部５３を胴部５２の軸心方向（図４において上下に延びる中心軸方向）に貫通する貫通孔５４が形成されている。貫通孔５４は、上部５１に対応する内周面は雌ねじ部５４ａとなっており、胴部５２および下部５３に対応する内周面は非ねじ部５４ｂとなっている。非ねじ部５４ｂは、ねじ溝が形成されていない単なる孔である。
【００１８】
上記の実施形態によれば、ナット５０が、保持部材２０の挿入孔２４に挿入される胴部５２と、該胴部５２の両端に連続して形成され、平面視で保持部材２０の挿入孔２４よりも大きく形成された上部５１および下部５３とで構成されているので、ナット５０が保持部材２０に保持される。したがって、ナット５０が保持部材２０に保持された状態で、Ｕボルト４０の脚部４１にナット５０を取り付けることができるため、Ｕボルト４０へのナット５０の締付け作業効率が向上する。例えば、ナットを誤って落とす虞がなくなる。
【００１９】
また、ナット５０の胴部５２は外周面が軸心へ向かって括れているため、胴部５２と保持部材２０の挿入孔２４との摩擦抵抗（動摩擦抵抗）が低減される。したがって、ナット５０を容易に回転させることができ、そのため、ナット５０の締付け作業効率が一層向上する。
【００２０】
また、ナット５０は、保持部材２０の左右端（図１において）を切断して挿入孔２４に挿入される。そして、ナット５０が挿入された後、切断した左右端が溶接で接合される。このため、保持部材２０には不要な切欠部が形成されず、強度低下を回避することができる。したがって、保持部材２０の強度低下を招くことなく、ナット５０の締付け作業効率を向上させることが可能である。
【００２１】
また、ナット５０の上部５１は、クイックナット（実用新案登録第１３９７９７５号に開示のナット）で構成するようにしてもよい。その場合、一体形成された胴部５２および下部５３はクイックナットの下面に接合される。クイックナットは、Ｕボルト４０の脚部４１を押し込むだけで締結されるため、より容易にナット５０をＵボルト４０に取り付けることができ、ナット５０の締付け作業効率がより一層向上する。また、クイックナットは一方のナット５０の上部５１だけに用いるようにしてもよい。
【００２２】
なお、上記実施形態では、一対のナット５０の一方だけを上述した構成とし、他方は保持部材２０の挿入孔２４よりも大きい一般的なナットを用いるようにしてもよい。
【産業上の利用可能性】
【００２３】
本発明は、センサを測定対象物に接触させて固定するセンサ固定器具について有用である。
【符号の説明】
【００２４】
１        センサ
１０      センサ固定器具
２０      保持部材
２４      挿入孔
４０      Ｕボルト
４１      脚部
５０      ナット
５１      上部
５２      胴部
５３      下部
５４      貫通孔
５４ａ    雌ねじ部
【図１】
2015140898.tif 000003
【図２】
2015140898.tif 000004
【図３】
2015140898.tif 000005
【図４】
2015140898.tif 000006